(57)【特許請求の範囲】
【請求項１】
ＧＩＳデータ化された道路の中心線に対して前記道路の起点からの距離を表す距離情報を付与した中心線のラインデータを生成するラインデータ生成手段と、
前記中心線のラインデータを前記道路の横断方向へ所定間隔で平行に複製して複数のラインデータを生成し、生成した複数のラインデータのそれぞれに、各ラインデータを識別するラインコードと、前記道路を識別する道路コードと、前記道路の上下線を識別する上下線コードと、前記道路の車線を識別する車線コードとを組み合わせた識別コードを付与する識別コード付与手段と、
前記距離情報、前記道路コード、前記上下線コードおよび前記車線コードに基づいて管理される道路の維持管理データを、維持管理データ別に前記ラインコードを割り当てることにより前記識別コードに紐付けして取り込むデータ取込手段と、
前記複数のラインデータのそれぞれの識別コードに紐付けされた前記維持管理データを、複数のラインデータ上のそれぞれの維持管理データの距離情報に対応する位置に表示する表示手段と
を含む道路構造物の維持管理業務支援装置。
【請求項２】
前記表示手段は、前記維持管理データの詳細内容別に色分け表示するものである請求項１記載の道路構造物の維持管理業務支援装置。
【請求項３】
前記表示手段は、前記維持管理データの詳細内容を別枠に表示するものである請求項１または２に記載の道路構造物の維持管理業務支援装置。
【請求項４】
コンピュータを、
ＧＩＳデータ化された道路の中心線に対して前記道路の起点からの距離を表す距離情報を付与した中心線のラインデータを生成するラインデータ生成手段と、
前記中心線のラインデータを前記道路の横断方向へ所定間隔で平行に複製して複数のラインデータを生成し、生成した複数のラインデータのそれぞれに、各ラインデータを識別するラインコードと、前記道路を識別する道路コードと、前記道路の上下線を識別する上下線コードと、前記道路の車線を識別する車線コードとを組み合わせた識別コードを付与する識別コード付与手段と、
前記距離情報、前記道路コード、前記上下線コードおよび前記車線コードに基づいて管理される道路の維持管理データを、維持管理データ別に前記ラインコードを割り当てることにより前記識別コードに紐付けして取り込むデータ取込手段と、
前記複数のラインデータのそれぞれの識別コードに紐付けされた前記維持管理データを、複数のラインデータ上のそれぞれの維持管理データの距離情報に対応する位置に表示する表示手段と
して機能させるための道路構造物の維持管理業務支援プログラム。
【発明の詳細な説明】
【技術分野】
【０００１】
本発明は、高速道路や一般道等の道路における橋梁や舗装等の道路構造物の維持管理業務を支援するための道路構造物の維持管理業務支援装置および維持管理業務支援プログラムに関する。
【背景技術】
【０００２】
従来、高速道路の維持管理に関する道路諸元情報（資産情報）、点検情報、調査情報や補修履歴情報などの膨大な維持管理データは、個別に管理されており、各種維持管理データは表計算ソフトウェアなどで再加工され、グラフやポンチ図等の様々な形式で出力され、維持管理業務に利用されている。しかしながら、このような維持管理手法では、管理データの作成に膨大な時間を要することや更新作業がされないまま継続的な管理ができない情報が存在すること等の問題がある。
【０００３】
そこで、地理情報システム（Geographical Information System、本明細書中において「ＧＩＳ」と称す。）を用いて道路諸元情報、点検情報、調査情報や補修履歴情報などの膨大な維持管理データを位置情報により統合する試みがなされている。例えば、非特許文献１には、帳票形式の維持管理データから文字情報として記載されている位置情報を抽出し、図面形式のデータである管理用平面図を基に作成した構造物のデータモデルとＧＩＳ上で統合する手法が記載されている。
【０００４】
具体的には、非特許文献１に記載の手法では、維持管理段階では道路縦断方向の情報である距離標を基に車線ごとに情報の記録が行われているため、データモデルは車線ごとに作成し、上下線の走行車線および追越車線の計４本の車線を表すラインデータを構築し、これらのラインデータにＧＩＳの機能を用いて方向と距離の情報を持たせ、ラインデータ上に距離標と同じ位置にポイントデータを発生させている。一方、維持管理データには、それぞれ車線と始点および終点の距離標が記されているため、これらの３項目を位置情報として抽出し、作成した各車線のデータモデルに属性データとして格納し、この属性データをキーとして維持管理データを各車線のデータモデルへ統合している。
【０００５】
図６は各車線のＧＩＳデータモデルを構築し、そこに資産データ、１０ｍ単位の路面性状調査結果、修繕履歴を統合し、表示させた例である。図の最も上側の車線が路面性状調査結果、上から２番目の車線が資産データ、下側の２車線が修繕履歴の統合結果を示したものであり、それぞれのデータモデルをクリックするとその属性情報が参照でき、周囲の構造物と共に空間的に確認できるようになっている。
【先行技術文献】
【非特許文献】
【０００６】
【非特許文献１】中川学、三谷泰浩、池見洋明，高速道路舗装の維持管理に関するＧＩＳデータモデルの構築とその利活用に関する研究，土木構造・材料論文集，ＫＡＢＳＥ（九州橋梁・構造工学研究会），２０１３年１２月，第２９号，ページｐ．１２９−１３６
【発明の概要】
【発明が解決しようとする課題】
【０００７】
ところが、上記従来の手法では、上下線の走行車線および追越車線の計４本の車線を表すラインデータ上に、資産データ、１０ｍ単位の路面性状調査結果および修繕履歴ごとに車線を変えて重ねて表示するため、車線と同じ数しか表示することができない。しかしながら、実際には道路構造物の維持管理データはそれぞれの維持管理項目も多いため、すべての維持管理項目を一元的に表示することは不可能である。
【０００８】
そこで、本発明においては、多数の維持管理項目を一元的に表示することが可能な道路構造物の維持管理業務支援装置および維持管理業務支援プログラムを提供することを目的とする。
【課題を解決するための手段】
【０００９】
本発明の道路構造物の維持管理業務支援装置は、ＧＩＳデータ化された道路の中心線に対して道路の起点からの距離を表す距離情報を付与した中心線のラインデータを生成するラインデータ生成手段と、中心線のラインデータを道路の横断方向へ所定間隔で平行に複製して複数のラインデータを生成し、生成した複数のラインデータのそれぞれに、各ラインデータを識別するラインコードと、道路を識別する道路コードと、道路の上下線を識別する上下線コードと、道路の車線を識別する車線コードとを組み合わせた識別コードを付与する識別コード付与手段と、距離情報、道路コード、上下線コードおよび車線コードに基づいて管理される道路の維持管理データを、維持管理データ別にラインコードを割り当てることにより識別コードに紐付けして取り込むデータ取込手段と、複数のラインデータのそれぞれの識別コードに紐付けされた維持管理データを、複数のラインデータ上のそれぞれの維持管理データの距離情報に対応する位置に表示する表示手段とを含むものである。本発明の道路構造物の維持管理業務支援装置によれば、道路の維持管理データが道路の維持管理データごとに道路の横断方向へ所定間隔で平行に展開されて一元表示される。
【００１０】
ここで、表示手段は、維持管理データの詳細内容別に色分け表示するものであることが望ましい。これにより、道路の維持管理データが維持管理データごとに道路の横断方向へ所定間隔で平行に展開されて一元表示される際、維持管理データの詳細内容別に色分け表示されるので、維持管理データの詳細内容を視覚的に識別しやすくなる。
【００１１】
また、表示手段は、維持管理データの詳細内容を別枠に表示するものであることが望ましい。これにより、道路の維持管理データごとに道路の横断方向へ所定間隔で平行に展開されて一元表示される際、複数のラインデータのそれぞれの維持管理データの距離情報に対応する位置に表示しきれない詳細内容について、別枠に表示して確認することが可能となる。
【００１２】
本発明の道路構造物の維持管理業務支援プログラムは、コンピュータを、ＧＩＳデータ
化された道路の中心線に対して道路の起点からの距離を表す距離情報を付与した中心線のラインデータを生成するラインデータ生成手段と、中心線のラインデータを道路の横断方向へ所定間隔で平行に複製して複数のラインデータを生成し、生成した複数のラインデータのそれぞれに、各ラインデータを識別するラインコードと、道路を識別する道路コードと、道路の上下線を識別する上下線コードと、道路の車線を識別する車線コードとを組み合わせた識別コードを付与する識別コード付与手段と、距離情報、道路コード、上下線コードおよび車線コードに基づいて管理される道路の維持管理データを、維持管理データ別にラインコードを割り当てることにより識別コードに紐付けして取り込むデータ取込手段と、複数のラインデータのそれぞれの識別コードに紐付けされた維持管理データを、複数のラインデータ上のそれぞれの維持管理データの距離情報に対応する位置に表示する表示手段として機能させるためのものである。このプログラムを実行したコンピュータによれば、上記本発明の道路構造物の維持管理業務支援装置と同様の作用、効果を奏することができる。
【発明の効果】
【００１３】
（１）ＧＩＳデータ化された道路の中心線に対して道路の起点からの距離を表す距離情報を付与した中心線のラインデータを生成し、中心線のラインデータを道路の横断方向へ所定間隔で平行に複製して複数のラインデータを生成し、生成した複数のラインデータのそれぞれに、各ラインデータを識別するラインコードと、道路を識別する道路コードと、道路の上下線を識別する上下線コードと、道路の車線を識別する車線コードとを組み合わせた識別コードを付与し、距離情報、道路コード、上下線コードおよび車線コードに基づいて管理される道路の維持管理データを、維持管理データ別にラインコードを割り当てることにより識別コードに紐付けして取り込み、複数のラインデータのそれぞれの識別コードに紐付けされた維持管理データを、複数のラインデータ上のそれぞれの維持管理データの距離情報に対応する位置に表示する構成により、道路構造物について多数の維持管理項目を一元管理することが可能となり、道路構造物の維持管理業務の遂行が容易となる。
【００１４】
（２）維持管理データの詳細内容別に色分け表示する構成により、一元表示される維持管理データの詳細内容を視覚的に識別しやすくなり、道路構造物の維持管理業務の遂行がより容易となる。
【００１５】
（３）維持管理データの詳細内容を別枠に表示する構成により、道路の維持管理データごとに道路の横断方向へ所定間隔で平行に展開されて一元表示される際、複数のラインデータのそれぞれの維持管理データの距離情報に対応する位置に表示しきれない詳細内容について、別枠に表示して確認することが可能となる。
【図面の簡単な説明】
【００１６】
【図１】本発明の実施の形態における道路構造物の維持管理業務支援装置のブロック図である。
【図２】複数のラインデータ生成の説明図である。
【図３】道路の維持管理データの例を示す図である。
【図４】表示手段による表示例を示す図である。
【図５】図４の一部拡大図である。
【図６】従来の道路の維持管理データの表示例を示す図である。
【発明を実施するための形態】
【００１７】
図１は本発明の実施の形態における道路構造物の維持管理業務支援装置のブロック図、図２は複数のラインデータ生成の説明図、図３は道路の維持管理データの例を示す図である。
【００１８】
図１において、本発明の実施の形態における道路構造物の維持管理業務支援装置１は、道路の中心線をＧＩＳデータ化するＧＩＳデータ化手段１０と、ＧＩＳデータ化された道路の中心線から中心線のラインデータを生成するラインデータ生成手段１１と、中心線のラインデータを道路の横断方向へ所定間隔で平行に複製して識別コードを付与する識別コード付与手段１２と、道路の維持管理データを取り込むデータ取込手段１３と、道路の維持管理データをラインデータ上に表示する表示手段１４とを有する。
【００１９】
維持管理業務支援装置１は、維持管理業務支援プログラムを実行するコンピュータである。維持管理業務支援プログラムは、コンピュータを上記各手段１０〜１４として機能させるためのプログラムである。なお、上記各手段１０〜１４により処理されたデータは、記憶手段（図示せず。）に適宜記憶される。
【００２０】
ＧＩＳデータ化手段１０は、例えばＣＡＤ形式で作成されている道路維持管理用図面データから道路の中心線を抽出してＧＩＳデータ化する。道路の中心線の抽出は、自動または手動により行われる。ＧＩＳデータとは、地理情報システム（ＧＩＳ）で利用されるデータである。道路の中心線は、ＧＩＳデータ化されることにより、ＧＩＳで利用可能な世界測地系１９８４（ＷＧＳ８４）や日本測地系２０００等の測地系の座標値に変換される。ラインデータ生成手段１１は、ＧＩＳデータ化された道路の中心線に対して道路の起点からの距離を表す距離情報を付与した中心線のラインデータを生成する。
【００２１】
識別コード付与手段１２は、中心線のラインデータを道路の横断方向へ所定間隔で平行に複製して複数のラインデータを生成する。また、識別コード付与手段１２は、この生成した複数のラインデータのそれぞれに、各ラインデータを識別するラインコードと、道路を識別する道路コードと、道路の上下線を識別する上下線コードと、道路の車線を識別する車線コードとを組み合わせた識別コードを付与する。このような識別コードは一意的（ユニーク）なコードとなっている。
【００２２】
図２に示す例では、高速自動車道路の車線区分である上り線走行車線、上り線追越車線、下り線走行車線および下り線追越車線の４車線分について、それぞれ中心線のラインデータを道路の横断方向へ所定間隔で平行に複製して複数のラインデータを生成している。なお、図２において、各ラインデータ上に記しているＢ０１〜Ｂ１４は、各ラインデータのラインコードである。
【００２３】
データ取込手段１３は、距離情報、道路コード、上下線コードおよび車線コードに基づいて管理される道路の維持管理データを、維持管理データ別にラインコードを割り当てることにより識別コードに紐付けして取り込む。ラインコードの割り当ては、自動または手動により行われる。道路の維持管理データは、道路の維持管理に関する道路諸元情報（資産情報）、点検情報、調査情報や補修履歴情報等である。これらの維持管理データは、ＣＳＶ（Comma-Separeted Values）形式のファイルや表計算ソフトウェア形式のファイル等により提供されるものである。
【００２４】
図３は道路の維持管理データの例を示している。
図３に示すように、道路の維持管理データは、距離情報（距離標（自）、距離標（至））、道路コード（道路名ＣＤ）、上下線コード（上下線ＣＤ）、車線コード（車線名ＣＤ）および詳細内容を含むデータである。詳細内容とは、図３に示すわだち掘れ、ひび割れ、ＩＲＩ（平坦性）等の路面性状結果や、日常点検結果、舗装補修履歴（表層、基層、上層路盤、下層路盤）、ＦＷＤ測定結果、表層舗装補修回数、すべり抵抗値等の維持管理項目の内容である。このような維持管理データは、維持管理項目別（ファイル別）にラインコード（前述のＢ０１〜Ｂ１４）が割り当てられることにより識別コードに紐付けされる。すなわち、各維持管理データは、それぞれの道路コード、上下線コード、車線コードに、この割り当てられたラインコードを組み合わせることにより、識別コードに紐付けされる。
【００２５】
表示手段１４は、複数のラインデータのそれぞれの識別コードに紐付けされた維持管理データを、複数のラインデータ上のそれぞれの維持管理データの距離情報に対応する位置に表示する。図４は表示手段１４による表示例を示している。図５は図４の一部拡大図である。
【００２６】
図４および図５に示す例では、表示手段１４は、複数のラインデータのそれぞれの識別コードに紐付けされた維持管理データの距離情報に対応する位置に、すなわち、距離標（自）から距離標（至）までの区間にそれぞれ維持管理項目の内容に応じた色で塗りつぶした矩形を表示することにより、維持管理データの詳細内容別に色分け表示する。例えば、図５に示すラインコードＢ０３のラインデータ上には、ＩＲＩの内容（数値）に応じて色を変えた矩形が表示されている。また、表示手段１４は、各矩形の枠内に詳細内容の数値や文字情報（ＩＲＩにおいてはその内容を示す数値）を表示する。
【００２７】
また、表示手段１４は、距離情報として距離標（自）から距離標（至）までのような区間ではなく、１点の距離情報のみを保有する維持管理項目の場合には、その１点の距離情報に対応する位置にその維持管理項目の内容に応じた記号等を表示する。例えば、図５に示すラインコードＢ０４のラインデータ上には、日常点検結果の内容に応じた記号が表示されている。
【００２８】
また、表示手段１４は、連続する区間で維持管理項目の内容が同じ場合には、その同じ内容の連続する区間の全体を１つの矩形として表示する。例えば、図５に示すラインコードＢ０８のラインデータ上には、舗装補修履歴（下層路盤）の内容が同じ区間の全体を１つの矩形として表示している。
【００２９】
また、表示手段１４は、各ラインデータ上の各矩形がキーボードやポインティングデバイス等によって指定されると、対応する維持管理データの詳細内容を図５に示すウインドウ２０のように別枠に表示する。
【００３０】
上記構成の維持管理業務支援装置１では、ＧＩＳデータ化手段１０により道路の中心線をＧＩＳデータ化し、ラインデータ生成手段１１により、このＧＩＳデータ化された道路の中心線に対して道路の起点からの距離を表す距離情報を付与した中心線のラインデータを生成し、中心線のラインデータを道路の横断方向へ所定間隔で平行に複製して複数のラインデータを生成し、識別コード付与手段１２により、この生成した複数のラインデータのそれぞれに、各ラインデータを識別するラインコードと、道路を識別する道路コードと、道路の上下線を識別する上下線コードと、道路の車線を識別する車線コードとを組み合わせた識別コードを付与する。そして、データ取込手段１３により、距離情報、道路コード、上下線コードおよび車線コードに基づいて管理される道路の維持管理データを、維持管理データ別にラインコードを割り当てることにより識別コードに紐付けして取り込み、表示手段１４により、この複数のラインデータのそれぞれの識別コードに紐付けされた維持管理データを、複数のラインデータ上のそれぞれの維持管理データの距離情報に対応する位置に表示する。これにより、道路の維持管理データが道路の維持管理データごとに道路の横断方向へ所定間隔で平行に展開されて一元表示されるため、道路構造物について多数の維持管理項目を一元管理することが可能となり、道路構造物の維持管理業務の遂行が容易となる。
【００３１】
また、本実施形態における維持管理業務支援装置１では、維持管理データの詳細内容別に色分け表示されるため、一元表示される維持管理データの詳細内容を視覚的に識別しやすくなり、道路構造物の維持管理業務の遂行がより容易となっている。
【００３２】
また、本実施形態における維持管理業務支援装置１では、維持管理データの詳細内容が別枠に表示されるため、道路の維持管理データごとに道路の横断方向へ所定間隔で平行に展開されて一元表示される際、複数のラインデータのそれぞれの維持管理データの距離情報に対応する位置に表示しきれない詳細内容について、別枠に表示して確認することが可能となっている。
【産業上の利用可能性】
【００３３】
本発明の道路構造物の維持管理業務支援装置および維持管理業務プログラムは、高速道路や一般道等の道路における橋梁や舗装等の道路構造物の維持管理業務を支援するための装置およびプログラムとして有用である。
【符号の説明】
【００３４】
１  維持管理業務支援装置
１０  ＧＩＳデータ化手段
１１  ラインデータ生成手段
１２  識別コード付与手段
１３  データ取込手段
１４  表示手段
【図１】
0006482893.tif 000002
【図２】
0006482893.tif 000003
【図３】
0006482893.tif 000004
【図４】
0006482893.tif 000005
【図５】
0006482893.tif 000006
【図６】
0006482893.tif 000007